(57)【要約】【課題】温調ハンドル本体の製造の簡略化及び安全ボタン関連部品の組み付け作業性の容易化を実現できる湯水混合水栓装置を提供すること。【解決手段】通常時には安全ボタン用穴から突出し、押圧時には安全ボタン用穴内に退没可能な安全ボタンを有する安全ボタンユニットを備える。安全ボタンユニットは、温調ハンドルに取り付けられる。安全ボタンユニットは、安全ボタンの出没移動を規制する安全ボタン規制部と、安全ボタン規制部に固定されたバネ支持部と、安全ボタンとバネ支持部との間に配置され押圧時に安全ボタン用穴内に退没した安全ボタンに対して安全ボタン用穴から突出するよう付勢力を提供するバネと、安全ボタンに一体化ないし固定され通常時には回転角度規制部材と協働する位置にあり安全ボタンの押圧時には回転角度規制部材と協働する位置から退避可能な係止部と、を有している。【選択図】図７
2019148073.tif 000002
【特許請求の範囲】
【請求項１】
湯水混合水栓装置であって、
給湯源から供給される湯と給水源から供給される水とを混合して、温度調整を行う温度調整機能部と、
前記温度調整機能部による温度調整のために回転操作される温調ハンドルと、
前記温調ハンドルの回転角度を規制する回転角度規制部材と、
前記温調ハンドルに設けられた安全ボタン用穴と、
前記温調ハンドルに取り付けられ、通常時には前記安全ボタン用穴から突出し押圧時には前記安全ボタン用穴内に退没可能な安全ボタンを有する安全ボタンユニットと、
を備え、
前記安全ボタンユニットは、
前記温調ハンドルに取り付けられ、前記安全ボタンの出没移動を規制する安全ボタン規制部と、
前記安全ボタン規制部に固定されたバネ支持部と、
前記安全ボタンと前記バネ支持部との間に配置され、押圧時に前記安全ボタン用穴内に退没した前記安全ボタンに対して前記安全ボタン用穴から突出するよう付勢力を提供するバネと、
前記安全ボタンに一体化ないし固定され、通常時には前記回転角度規制部材と協働する位置にあり前記安全ボタンの押圧時には前記回転角度規制部材と協働する位置から退避可能な係止部と、
を有している
ことを特徴とする湯水混合水栓装置。
【請求項２】
前記安全ボタン規制部は、樹脂で形成されており、
前記安全ボタンは、前記安全ボタン規制部に対して摺動するようになっており、前記温調ハンドルとは接触しない
ことを特徴とする請求項１に記載の湯水混合水栓装置。
【請求項３】
前記安全ボタン用穴は、円形穴である
ことを特徴とする請求項１または２に記載の湯水混合水栓装置。
【請求項４】
前記温調ハンドルは、前記安全ボタンユニットの取り付けをガイドするガイド部を有し、
前記安全ボタンユニットは、前記ガイド部と係合する係合部を有する
ことを特徴とする請求項１乃至３のいずれかに記載の湯水混合水栓装置。
【請求項５】
前記安全ボタン規制部は、前記バネ支持部が固定されるバネ支持部固定穴を有する
ことを特徴とする請求項１乃至４のいずれかに記載の湯水混合水栓装置。
【請求項６】
前記バネは、コイルバネである
ことを特徴とする請求項１乃至５のいずれかに記載の湯水混合水栓装置。
【請求項７】
前記バネは、コイルバネであり、
前記バネ支持部は、前記コイルバネを圧縮させながら前記バネ支持部固定穴に固定されるようになっている
ことを特徴とする請求項５に記載の湯水混合水栓装置。
【請求項８】
前記安全ボタン規制部は、前記バネ支持部を前記バネ支持部固定穴にガイドする第２ガイド部を有する
ことを特徴とする請求項７に記載の湯水混合水栓装置。
【請求項９】
前記バネ支持部は、前記コイルバネを保持する突起部を有する
ことを特徴とする請求項６乃至８のいずれかに記載の湯水混合水栓装置。
【請求項１０】
前記コイルバネは、前記安全ボタンの内側に挿入されている
ことを特徴とする請求項６乃至９のいずれかに記載の湯水混合水栓装置。
【発明の詳細な説明】
【技術分野】
【０００１】
本発明は、温度調整機能部を備えた湯水混合水栓装置に関する。
【背景技術】
【０００２】
従来から、温度調整機能部を備えた湯水混合水栓装置が知られている。温度調整機能部の操作は、一般に、温調ハンドルを回転することによってなされる。
【０００３】
従来の湯水混合水栓装置においては、不所望に高温の湯が吐水されてしまう（火傷のおそれがある）ことを防止するために、温調ハンドルに安全ボタンが設けられている。安全ボタンは、高温の湯を吐水する場合に操作されるボタンで、当該安全ボタンを押圧操作しないと温調ハンドルを高温側に回転できないようになっている。
【０００４】
特許文献１に、従来の安全ボタンの構成が開示されている。図１１は、特許文献１の図１に対応し、従来の湯水混合水栓Ａを示す外観斜視図である。湯水混合水栓Ａは、温度調整用ハンドル６０と、流量調整用ハンドル６１と、スパウト６２と、を備えている。温度調整用ハンドル６０と流量調整用ハンドル６１とは、亜鉛ダイキャストより製造されている。また、湯水混合水栓Ａは、水供給水路６３及び湯供給水路６４に接続されており、それらの混合水をスパウト６２より吐水する構成となっている。湯水混合水栓Ａは、流量調整用ハンドル６１を回転することによって吐水量を調整することができ、吐水量をゼロとする、つまり止水を行うことも可能である。
【０００５】
また、湯水混合水栓Ａは、温度調整用ハンドル６０を回転することによって、吐水温度を好みの温度に調整することができる。このとき、一定以上の温度に設定するためには、温度調整用ハンドル６０に設けられた安全ボタン５２を押しながら、温度調整用ハンドル６０を回転する必要がある。
【０００６】
図１２は、特許文献１の図２に対応し、温度調整用ハンドル６０の内部を示す分解斜視図である。図１３は、温度調整用ハンドル６０の断面図である。温度調整用ハンドル６０は、その周囲を覆うカバー部６５に組み付ける形で、安全ボタン５２と、ブッシュ５４と、板バネ５５と、を有している。
【０００７】
従来の湯水混合水栓Ａは、使用者が温度調整用ハンドル６０のカバー部６５を掴んで回転させることにより、カバー部６５と嵌合した基部（不図示）が回転して、湯水混合水栓Ａの湯水の混合量が調整されるようになっている。これにより、スパウト６２から吐水される吐水温度を、水から湯へ（あるいはその逆へ）自在に調整することができる。
【０００８】
ここで、誤って一定温度以上の高温の湯が吐水されることがないように、カバー部６５の回転に安全装置が設けられている。具体的には、図１２及び図１４（特許文献１の図５に対応）に示すように、安全ボタン５２に接続された係止部５３が設けられており、湯水混合水栓Ａに設けられた回転規制ストッパ５６と当接することで、カバー部６５が回転できないようになっている。
【０００９】
一定温度以上の高温の湯を吐水したい場合、係止部５３に接続された安全ボタン５２が意図的に押される。これによって、係止部５３が温度調整用ハンドル６０の内部方向へ移動される。これにより、係止部５３と回転規制ストッパ５６との当接（協働）が解除され、温度調整用ハンドル６０を自在に回転することができるようになる（図１５（特許文献１の図６に対応）参照）。
【００１０】
ここで、図１２及び図１３に示されているように、安全ボタン５２は、板バネ５５によって、絶えず温度調整用ハンドル６０の外周方向、つまりカバー部６５の表面方向に付勢されている。このため、温度調整用ハンドル６０を逆方向（低温側）に回転させ、回転規制ストッパ５６の位置よりも低温側に戻してしまうと、安全ボタン５２は自動的に外周方向へ戻り、すなわち、図１４の状態に戻る。
【００１１】
図１３に最も良く示されているように、温度調整用ハンドル６０のカバー部６５から突出するように、安全ボタン５２が設けられている。より具体的には、 カバー部６５の表面の一部に貫通孔が設けられており、これを通るように安全ボタン５２がカバー部６５の内部から挿入されている。
【００１２】
安全ボタン５２とカバー部６５との間には、樹脂製のブッシュ５４が設けられており（図１２及び図１３参照）、カバー部６５の断面と安全ボタン５２とが直接接することがないような構造となっている。また、安全ボタン５２とブッシュ５４との間には、安全ボタン５２の摺動のために僅かな隙間が確保された構造となっている。
【００１３】
また、ブッシュ５４は、図１３に示されているように、板バネ５５の全体を覆うように構成されている。これによって、板バネ５５とカバー部６５とが摺動することに伴う不具合の発生をも抑制されている。
【先行技術文献】
【特許文献】
【００１４】
【特許文献１】特許５９６３１０７号公報
【発明の概要】
【発明が解決しようとする課題】
【００１５】
前述した従来構成の温度調整用ハンドル６０は、板バネ５５の弾性力を利用する構成であり、温度調整用ハンドル６０の内部に所定の広さの空間（特に図１３の左右方向の寸法）が必要であるため、温度調整用ハンドル６０のコンパクト化の実現が困難である。
【００１６】
また、前述した従来構成の温度調整用ハンドル６０は、板バネ５５の支持部として機能する棚部５５ｓ（図１３参照）を温度調整用ハンドル６０の内部に形成しているため、温度調整用ハンドル６０の製造工程が複雑であり、また、温度調整用ハンドル６０への安全ボタン５２、ブッシュ５４及び板バネ５５の組み付けの作業性も簡便であるとは言い難かった。
【００１７】
本件発明者は、安全ボタンに関する鋭意の検討過程において、安全ボタンを付勢するバネの支持部として機能するバネ支持部を安全ボタンと共にユニット化することによって、温調ハンドル本体の製造の簡略化及び安全ボタン関連部品の組み付け作業性の容易化を図ることができるとの知見を得た。
【００１８】
本発明は、以上のような知見に基づいてなされたものである。本発明の目的は、温調ハンドル本体の製造の簡略化及び安全ボタン関連部品の組み付け作業性の容易化を実現できる湯水混合水栓装置を提供することである。
【課題を解決するための手段】
【００１９】
本発明は、湯水混合水栓装置であって、給湯源から供給される湯と給水源から供給される水とを混合して、温度調整を行う温度調整機能部と、前記温度調整機能部による温度調整のために回転操作される温調ハンドルと、前記温調ハンドルの回転角度を規制する回転角度規制部材と、前記温調ハンドルに設けられた安全ボタン用穴と、前記温調ハンドルに取り付けられ、通常時には前記安全ボタン用穴から突出し押圧時には前記安全ボタン用穴内に退没可能な安全ボタンを有する安全ボタンユニットと、を備え、前記安全ボタンユニットは、前記温調ハンドルに取り付けられ、前記安全ボタンの出没移動を規制する安全ボタン規制部と、前記安全ボタン規制部に固定されたバネ支持部と、前記安全ボタンと前記バネ支持部との間に配置され、押圧時に前記安全ボタン用穴内に退没した前記安全ボタンに対して前記安全ボタン用穴から突出するよう付勢力を提供するバネと、前記安全ボタンに一体化ないし固定され、通常時には前記回転角度規制部材と協働する位置にあり前記安全ボタンの押圧時には前記回転角度規制部材と協働する位置から退避可能な係止部と、を有していることを特徴とする湯水混合水栓装置である。
【００２０】
本発明によれば、安全ボタンと、安全ボタンの出没移動を規制する安全ボタン規制部と、安全ボタン規制部に固定されたバネ支持部と、安全ボタンとバネ支持部との間に配置されたバネと、安全ボタンに一体化ないし固定された係止部と、が安全ボタンユニットとしてユニット化されているため、温調ハンドルの製造工程を簡略化することができ、且つ、安全ボタン関連部品の組み付け作業性を容易化することができる。
【００２１】
前記安全ボタン規制部は、樹脂で形成されており、前記安全ボタンは、前記安全ボタン規制部に対して摺動するようになっており、前記温調ハンドルとは接触しないことが好ましい。
【００２２】
この場合、温調ハンドル自体は摺動機能を担わないため、温調ハンドルに白錆や腐食が発生することを効果的に抑制できる。また、もし温調ハンドルに白錆や腐食が発生してしまった場合でも、安全ボタンの動作（移動）に影響が生じることを抑制できる。
【００２３】
また、前記安全ボタン用穴は、円形穴であることが好ましい。
【００２４】
この場合、安全ボタン用穴をＵ字状穴等として形成する場合と比較して、安全ボタンの露出を最小限に抑制することができ、デザイン性が向上する。
【００２５】
また、前記温調ハンドルは、前記安全ボタンユニットの取り付けをガイドするガイド部を有し、前記安全ボタンユニットは、前記ガイド部と係合する係合部を有することが好ましい。
【００２６】
この場合、安全ボタンユニットを温調ハンドルに組み付ける際の組立性が向上し、安全ボタン関連部品の組み付け作業性が顕著に容易化される。
【００２７】
また、前記安全ボタン規制部は、前記バネ支持部が固定されるバネ支持部固定穴を有することが好ましい。
【００２８】
この場合、バネ支持部を安全ボタン規制部に組み付ける際に、バネ支持部固定穴にバネ支持部を挿入するという比較的単純な作業によって当該バネ支持部を安全ボタン規制部に固定することができる。すなわち、バネ支持部の安全ボタン規制部への組み付け作業性が容易化される。
【００２９】
また、前記バネは、コイルバネであることが好ましい。
【００３０】
この場合、従来の板バネを用いる場合と比較して、バネの設置ないし動作に必要な空間（特に長さ）が小さくて済むため、ハンドルの厚み（前出）を抑えることができる。これにより、デザイン性を向上させることができる。
【００３１】
また、前記バネが、コイルバネである場合、前記バネ支持部は、前記バネを圧縮させながら前記バネ支持部固定穴に固定されるようになっていることが好ましい。
【００３２】
これによれば、バネ支持部をバネ支持部固定穴に固定する際において、バネを別途保持した状態で作業する必要がない。これにより、バネ支持部の安全ボタン規制部への組み付け作業性が容易化される。
【００３３】
また、前記安全ボタン規制部は、前記バネ支持部を前記バネ支持部固定穴にガイドする第２ガイド部を有することが好ましい。
【００３４】
これによれば、バネ支持部をバネ支持部固定穴に固定する際において、第２ガイド部によってバネ支持部の移動がガイドされることにより、バネ支持部の安全ボタン規制部への組み付け作業性が更に容易化される。
【００３５】
また、前記バネが、コイルバネである場合、前記バネ支持部は、前記コイルバネを保持する突起部を有することが好ましい。
【００３６】
これによれば、突起部によってコイルバネを保持することができ、そのように突起部がバネを保持した状態でバネ支持部の組み付け作業を行うことができる。これにより、バネ支持部の安全ボタン規制部への組み付け作業性が容易化される。
【００３７】
また、前記コイルバネは、前記安全ボタンの内側に挿入されていることが好ましい。
【００３８】
これによれば、コイルバネの配置について省スペースを実現でき、温調ハンドルの小型化が図れる他、安全ボタンに対するコイルバネの付勢動作が安定する。
【発明の効果】
【００３９】
本発明によれば、温調ハンドル本体の製造の簡略化及び安全ボタン関連部品の組み付け作業性の容易化を実現できる湯水混合水栓装置を提供することができる。
【図面の簡単な説明】
【００４０】
【図１】本発明の一実施形態による湯水混合水栓装置の斜視図である。
【図２】図１の湯水混合水栓装置の温調ハンドル及び回転角度規制部材の斜視図である。
【図３】図２の湯水混合水栓装置の温調ハンドル及び回転角度規制部材の断面図である。
【図４】図２の湯水混合水栓装置の温調ハンドルの分解斜視図である。
【図５】図２の温調ハンドルのハンドルカバーの斜視図である。
【図６】図４の安全ボタンユニットの側面図である。
【図７】図６の安全ボタンユニットの分解側面図である。
【図８】図７の安全ボタン規制部の斜視図である。
【図９】図７のバネ支持部の斜視図である。
【図１０】図６の安全ボタンユニットの底面図である。
【図１１】従来の湯水混合水栓Ａを示す外観斜視図である（特許文献１の図１に対応する図である）。
【図１２】従来の温度調整用ハンドルの内部を示す分解斜視図である（特許文献１の図２に対応する図である）。
【図１３】従来の温度調整用ハンドルの内部を示す断面図である（特許文献１の図３に対応する図である）。
【図１４】従来の温度調整用ハンドルの回動規制状態を示す縦断面図である（特許文献１の図５に対応する図である）。
【図１５】従来の温度調整用ハンドルの回動自在状態を示す縦断面図である（特許文献１の図６に対応する図である）。
【発明を実施するための形態】
【００４１】
次に、添付図面を参照して、本発明の一実施形態による湯水混合水栓装置について説明する。
【００４２】
図１は、本発明の一実施形態による湯水混合水栓装置１の概略斜視図である。図１に示すように、湯水混合水栓装置１は、水回り設備、例えば浴室、キッチン、洗面台等の壁面に取付けられるカウンター一体型の湯水混合水栓装置である。湯水混合水栓装置１の箱体２の上面は、平坦に形成され、物を置くためのカウンターとして使用することができる。
【００４３】
湯水混合水栓装置１には、壁面に設けられた給湯源（図示せず）から延びる湯供給管３ａと、壁面に設けられた給水源（図示せず）から延びる水供給管３ｂと、が接続されている。また、湯水混合水栓装置１の下部にカランが設けられている。また、湯水混合水栓装置１の側部には、シャワーホース４ａを介してシャワーヘッド４が接続されている。
【００４４】
そして、湯水混合水栓装置１の前面側の上方に、カラン吐水用タッチ操作部５ａ及びシャワー吐水用タッチ操作部５ｂが設けられている。また、湯水混合水栓装置１の前面側に温調ハンドル６と、流調ハンドル７と、オーバーヘッドシャワー切替ハンドル８と、が設けられている。
【００４５】
本実施形態の湯水混合水栓装置１は、操作者がカラン吐水用タッチ操作部５ａをタッチ操作（押込み操作）することにより、止水状態と、カランからの吐水状態と、を切り替えることができる。また、操作者がシャワー吐水用タッチ操作部５ｂをタッチ操作（押込み操作）することにより、止水状態と、シャワーヘッド４からの吐水状態と、を切り替えることができる。
【００４６】
また、湯水混合水栓装置１は、温調ハンドル６を回動操作することにより、温度調整機能部６ｆの作用により吐水温度を調整することができる。また、流調用ハンドル７を回動操作することにより、流量調整機能部の作用により吐水流量を調整することができる。
【００４７】
温度調整機能部６ｆは、湯供給管３ａを介して給湯源から供給される湯と水供給管３ｂを介して給水源から供給される水とを混合して、温度調整を行うようになっている。そして、前述のように、温調ハンドル６が回転操作されることによって、温度調整機能部６ｆによる温度調整がなされるようになっている。このとき、従来構成の温調ハンドルと同様、一定温度以上の温度に設定するためには、温調ハンドル６に設けられた安全ボタン１１を押しながら、温調ハンドル６を回転する必要がある。
【００４８】
次に、図２は、回転角度規制部材２０に組み付けられた温調ハンドル６の斜視図であり、図３は、図２の回転角度規制部材２０及び温調ハンドル６の断面図であり、図４は、温調ハンドル６の分解斜視図であり、図５は、温調ハンドル６のハンドルカバー６ａの斜視図である。
【００４９】
図２乃至図４に示す回転角度規制部材２０は、例えば、湯水混合水栓装置１の箱体２に組み込まれている。そして、温調ハンドル６は、回転角度規制部材２０に対して回転可能に組み付けられ、回転角度規制部材２０によって回転角度が規制されている。
【００５０】
図３及び図４に示すように、本実施形態の温調ハンドル６は、操作者によって操作されるハンドルカバー６ａと、ハンドルカバー６ａの内部に設けられてハンドルカバー６ａに対する操作力を温度調整機能部６ｆに伝達するハンドルコア６ｂと、ハンドルカバー６ａとハンドルコア６ｂとを結合するネジ（またはピン）６ｃと、を有している。
【００５１】
また、図２及び図５に示すように、本実施形態の温調ハンドル６のハンドルカバー６ａには、円形の安全ボタン用穴６ｈが設けられている。そして、円筒状の安全ボタン１１が、通常時には安全ボタン用穴６ｈから突出するようになっており、押圧時には安全ボタン用穴６ｈ内に退没可能（完全に退没する必要はなく、一部のみ退没する態様を含む）となっている。
【００５２】
本実施形態の安全ボタン１１は、安全ボタンユニット１０の一部品として、温調ハンドル６に取り付けられている。
【００５３】
本実施形態の安全ボタンユニット１０は、図４に示すように、一体化されたユニットとして、ハンドルカバー６ａに取り付けられている。
【００５４】
図６は、安全ボタンユニット１０の側面図であり、図７は、安全ボタンユニット１０の分解側面図であり、図８は、安全ボタン規制部１２の斜視図であり、図９は、バネ支持部１３の斜視図である。
【００５５】
図６乃至図８に示すように、安全ホタン規制部１２は、安全ボタン１１の出没移動の軌道を規制（案内）する部材であり、通常、樹脂から製造され、円筒状の安全ボタン１１の外周の一部を環状に覆う規制本体部１２ｍを有しており、当該規制本体部１２ｍが安全ボタン１１と安全ボタン用穴６ｈとの間に介在するように配置されている。これにより、安全ボタン１１は、安全ボタン規制部１２の規制本体部１２ｍに対してのみ摺動するようになっていて、温調ハンドル６とは接触しないようになっている。
【００５６】
また、安全ボタン規制部１２は、安全ユニット１０の筐体（ハウジング）としての機能も担っている。そして、図５に示すように、温調ハンドル６のハンドルカバー６ａの裏側に、平面視で長方形状のスライドガイド片６ｇが設けられていて、一方、図８に示すように、安全ホタン規制部１２の対応する側面に、当該スライドガイド片６ｇに対して摺動移動可能ないし係合可能な、平面視で長方形状の係合凹部１２ｒが設けられている。これにより、安全ボタンユニット１０を温調ハンドル６に組み付ける際の組立性が向上されている。
【００５７】
図７及び図８に示すように、安全ボタン規制部１２は、規制本体部１２ｍとは反対の側において、バネ支持部１３を固定するようになっており、より具体的には、バネ支持部１３が固定される一対の対向する長穴状のバネ支持部固定穴１２ｈを有している。
【００５８】
図９に示すように、本実施形態のバネ支持部１３は、全体的には略正方形の平板状で、一対のバネ支持部固定穴１２ｈに嵌合可能な一対の嵌合片１３ｆを有している。また、当該嵌合片１３ｆの挿入側の面は、挿入作業を容易化するための傾斜面１３ｓとなっており、一方、図８に示すように、安全ボタン規制部１２のバネ支持部固定穴１２ｈに隣接する当該バネ支持部固定穴１２ｈへの挿入側の内面には、傾斜面１３ｓと協調して挿入作業を容易化する傾斜ガイド面１２ｓ（第２ガイド部）が設けられている。
【００５９】
そして、図７に示すように、安全ボタン１１とバネ支持部１３との間に、コイルバネ１４が設けられている。コイルバネ１４は、円筒状の安全ボタン１１の内側に挿入されており、押圧時に安全ボタン用穴６ｈ内に一部または全部が退没した安全ボタン１１に対して安全ボタン用穴６ｈから再び突出するよう付勢力を提供するようになっている。
【００６０】
図７及び図９に示すように、バネ支持部１３には、コイルバネ１４の内部空間に挿通される突起部１３ｐが突設されており、当該突起部１３ｐによってコイルバネ１４を保持できるようになっている。そして、コイルバネ１４を圧縮させる方向に挿入作業を行うことで、一対の嵌合片１３ｆを一対のバネ支持部固定穴１２ｈに嵌合できるようになっている。
【００６１】
図１０は、安全ボタンユニット１０の底面図である。図６、図７及び図１０に示すように、円筒状の安全ボタン１１の下方側面部から、平面視で略長方形の平板状の係止片１５が延在している。本実施形態では、安全ボタン１１及び係止片１５は、樹脂によって一体的に成形されているが、別体として形成されてから互いに固定（結合）されてもよい。
【００６２】
当該係止片１５が、通常時（図３参照）には回転角度規制部材２０の係止部２１（図４参照）と協働する位置にあって、温調ハンドル６の回動角度を規制するようになっている（図１４と類似の状態）。そして、安全ボタン１１が押圧された時には、当該安全ボタン１１の移動に伴って係止片１５も径方向内方へ移動することにより、係止片１５は回転角度規制部材２０の係止部２１から退避して空間部２２（図４参照）内を回動可能となる（図１５と類似の状態）。
【００６３】
以上のような本実施形態の湯水混合水栓装置１によれば、安全ボタン１１と、安全ボタン１１の出没移動を規制する安全ボタン規制部１２と、安全ボタン規制部１２に固定されたバネ支持部１３と、安全ボタン１１とバネ支持部１３との間に配置されたバネ１４と、安全ボタン１１に一体化ないし固定された係止部１５と、が安全ボタンユニット１０としてユニット化されているため、温調ハンドル６の製造工程を簡略化することができ、且つ、安全ボタン関連部品の組み付け作業性を容易化することができる。
【００６４】
また、本実施形態においては、安全ボタン規制部１２が樹脂で形成されており、安全ボタン１１は安全ボタン規制部１２に対してのみ摺動するようになっている。すなわち、安全ボタン１１は温調ハンドル６とは接触しないようになっている。従って、温調ハンドル６自体は摺動機能を担わないので、温調ハンドル６に白錆や腐食が発生することが効果的に抑制され得る。また、もし温調ハンドル６に白錆や腐食が発生してしまった場合でも、安全ボタン１１の動作（移動）に影響が生じることを抑制できる。
【００６５】
また、本実施形態においては、安全ボタン１１も樹脂製であるため、安全ボタン１１と安全ボタン規制部１２との樹脂同士の接触によって、両者間の滑らかな動きが実現できる。
【００６６】
また、本実施形態においては、安全ボタン用穴６が円形穴であるため、Ｕ字状穴等として形成する場合と比較して、安全ボタン１１の露出を最小限に抑制することができる。これにより、デザイン性が向上されている。
【００６７】
また、本実施形態の温調ハンドル６には、安全ボタンユニット１０の取り付けをガイドするスライドガイド片６ｇが設けられ、安全ホタン規制部１２の対応する側面には、当該スライドガイド片６ｇに対して摺動移動可能ないし係合可能な係合凹部１２ｒが設けられている。これにより、安全ボタンユニット１０を温調ハンドル６に組み付ける際の組立性が向上されており、安全ボタン関連部品の組み付け作業性が顕著に容易化されている。
【００６８】
また、本実施形態の安全ボタン規制部１２には、バネ支持部１３の一対の嵌合片１３ｆが固定される一対のバネ支持部固定穴１２ｈが設けられている。これにより、バネ支持部１３を安全ボタン規制部１２に組み付ける際に、バネ支持部固定穴１２ｈにバネ支持部１３の嵌合片１３ｆを挿入するという比較的単純な作業によって、当該バネ支持部１３を安全ボタン規制部１２に容易に固定することができる。すなわち、バネ支持部１３の安全ボタン規制部１２への組み付け作業性が容易化されている。
【００６９】
また、本実施形態において、バネ１４は、コイルバネである。これにより、従来のように板バネを用いる場合と比較して、バネ１４の設置ないし動作に必要な空間（特に長さ）が小さくて済む。従って、温調ハンドル６のサイズ（特に厚み（前出））を抑えることができ、デザイン性が向上されている。
【００７０】
また、本実施形態において、バネ支持部１３は、コイルバネ１４を圧縮させながらバネ支持部固定穴１２ｈに固定されるようになっている。このため、バネ支持部１３をバネ支持部固定穴１２ｈに固定する際において、コイルバネ１４を別途保持した状態で作業する必要がない。これにより、バネ支持部１３の安全ボタン規制部１２への組み付け作業性が容易化されている。
【００７１】
また、本実施形態の安全ボタン規制部１２には、バネ支持部１３の嵌合片１３ｆの傾斜面１３ｓをバネ支持部固定穴１２ｈに向けてガイドする傾斜ガイド面１２ｓ（第２ガイド部）が設けられている。これにより、バネ支持部１３をバネ支持部固定穴１２ｈに固定する際において、傾斜ガイド面１２ｓ（第２ガイド部）によってバネ支持部１３の移動がガイドされることにより、バネ支持部１３の安全ボタン規制部１２への組み付け作業性が更に容易化されている。
【００７２】
また、本実施形態のバネ支持部１３は、コイルバネ１４を保持する突起部１３ｐを有している。これにより、突起部１３ｐによってコイルバネ１４を保持することができ、そのように突起部１３ｐがコイルバネ１４を保持した状態でバネ支持部１３の組み付け作業を行うことができる。これによっても、バネ支持部１３の安全ボタン規制部１２への組み付け作業性が容易化されている。
【００７３】
また、本実施形態において、コイルバネ１４は、安全ボタン１１の内側に挿入されている。これにより、コイルバネ１４の配置について省スペースを実現でき、温調ハンドル６の小型化が図れる他、安全ボタン１１に対するコイルバネ１４の付勢動作が安定する。
【符号の説明】
【００７４】
１    湯水混合水栓装置
２    箱体
３ａ  湯供給管
３ｂ  水供給管
４    シャワーヘッド
４ａ  シャワーホース
５ａ  カラン吐水用タッチ操作部
５ｂ  シャワー吐水用タッチ操作部
６    温調ハンドル
６ａ  ハンドルカバー
６ｂ  ハンドルコア
６ｃ  ネジまたはピン
６ｇ  スライドガイド片（ガイド部）
６ｈ  安全ボタン用穴
７    流調ハンドル
８    オーバーヘッドシャワー切替ハンドル
１０    安全ボタンユニット
１１    安全ボタン
１２    安全ボタン規制部
１２ｈ  バネ支持部固定穴
１２ｍ  規制本体部
１２ｒ  係合凹部
１２ｓ  傾斜ガイド面（第２ガイド部）
１３    バネ支持部
１３ｆ  嵌合片
１３ｓ  傾斜面
１４    コイルバネ
１５    係止片
２０    回転角度規制部材
２１    係止部
２２    空間部
Ａ    従来の湯水混合水栓
５２    安全ボタン
５３    係止部
５４    ブッシュ
５５    板バネ
５５ｓ  棚部
５６    回転規制ストッパ
６０    温度調整用ハンドル
６１    流量調整用ハンドル
６２    スパウト
６３    水供給水路
６４    湯供給水路
６５    カバー部
【図１】
2019148073.tif 000003
【図２】
2019148073.tif 000004
【図３】
2019148073.tif 000005
【図４】
2019148073.tif 000006
【図５】
2019148073.tif 000007
【図６】
2019148073.tif 000008
【図７】
2019148073.tif 000009
【図８】
2019148073.tif 000010
【図９】
2019148073.tif 000011
【図１０】
2019148073.tif 000012
【図１１】
2019148073.tif 000013
【図１２】
2019148073.tif 000014
【図１３】
2019148073.tif 000015
【図１４】
2019148073.tif 000016
【図１５】
2019148073.tif 000017